(57)【要約】【課題】長尺物に装着して重心位置を調節することで持ち重りを軽減するバランスウェイトであって、汎用性が高く、調節の自由度を持ったバランスウェイトを提供する。【解決手段】バランスウェイトベルト１は、柔軟性があるウェイト材３と、ウェイト材３を封入した帯状の本体２と、釣り竿などの長尺物に装着するために本体２の形状を環状に固定する固定部材フック部５及び固定部材ループ部６からなる面ファスナーと、長尺物との間に摩擦力を生じて、環状に固定された本体を長尺物に係止させる滑り止め部材４とを備えている。バランスウェイトベルト１は、例えば、釣り竿の竿尻付近の任意の位置に巻き付け、本体２の固定部材ループ部６に固定部材フック部５を係合させて装着される。【選択図】図１
0003124789.tif 000002
【実用新案登録請求の範囲】
【請求項１】
重心位置より一方端側に偏った位置で把持される長尺物の持ち重りを低減するために、当該長尺物の把持位置よりも前記一方端側の位置に巻き付けて環状に装着されるバランスウェイトベルトであって、
柔軟性を有する帯状のウェイト材と、
前記ウェイト材を封入した帯状の本体と、
前記長尺物に巻き付けられる際、前記本体の当該長尺物に接触する面に設けられ、当該長尺物との間の摩擦力によって前記本体の前記長尺物に対する滑りを防止する滑り止め部材と、
前記本体が前記長尺物に巻き付けられたとき、その巻き付け状態を保持することができ、かつ、その巻き付け状態の保持を解除することができる固定部材と
を備えたことを特徴とするバランスウェイトベルト。
【請求項２】
前記本体は、全体的若しくは部分的に長手方向に伸縮性を有する、請求項１に記載のバランスウェイトベルト。
【請求項３】
前記ウェイト材は、鉛からなる薄板を１枚または複数枚積層して構成されている、請求項１又は２に記載のバランスウェイトベルト。
【請求項４】
前記固定部材は、前記本体の前記長尺物に巻き付けられる第１の面の一方に設けられたフック部と、前記本体の前記第１の面と反対側の面に設けられ、前記フック部が係合されるループ部とからなる面ファスナーである、請求項１〜３のいずれかに記載のバランスウェイトベルト。
【請求項５】
前記滑り止め部材は、クロロプレーンゴムで構成されている、請求項１〜４のいずれかに記載のバランスウェイトベルト。
【請求項６】
前記本体は、クロロプレーンゴムで構成され、前記滑り止め部材は、前記本体に一体的に形成されている、請求項５に記載のバランスウェイトベルト。
【請求項７】
前記長尺物は、少なくとも釣り竿を含む、請求項１〜６のいずれかに記載のバランスウェイトベルト。
【考案の詳細な説明】
【技術分野】
【０００１】
本願考案は、長尺物に装着して重心位置を調節することで持ち重りを軽減するバランスウェイトに関する。
【背景技術】
【０００２】
釣り竿やはたき、ほうき等の長尺物の端部付近を持って長時間操作するときに、いわゆる持ち重りによる手首や腕の負担を感じることがある。この長尺物における持ち重りは長尺物の握り位置と重心の位置が違うことにより生じる回転モーメントによるものであり、握り位置と重心の位置が離れるほど回転モーメントは大きくなって持ち重りは大きくなり、手首や腕により負担がかかる。
【０００３】
例えば釣り竿の重心位置を調節して持ち重り感を解消するためのバランサーとして特開平１０―２７１９３６号公報に記載の「釣り竿のバランサー」がある。これは、元竿の尻栓に、元竿の後部内側に挿入するバランス錘を螺合して使用し、バランス錘を構成する複数のウエイト体の数を調節して釣り竿の重心位置を調節するものである。
【０００４】
【特許文献１】特開平１０―２７１９３６号公報
【考案の開示】
【考案が解決しようとする課題】
【０００５】
しかしながら、この「釣り竿のバランサー」は元竿に組み込まれていて、他の釣り竿に使用することができないうえに、組み込まれた元竿は構造が複雑なので大変高価なものとなっている。また、バランス錘の調節には上限があり、重量の調節もウエイト体の個数で調節するので微調節に対応していない。
【０００６】
本願考案は上記した事情のもとで考え出されたものであって、汎用性が高く、調節の自由度を持ったバランスウェイトを提供することをその目的としている。
【課題を解決するための手段】
【０００７】
上記課題を解決するため、本願考案では、次の技術的手段を講じている。
【０００８】
本願考案によって提供されるバランスウェイトベルトは、重心位置より一方端側に偏った位置で把持される長尺物の持ち重りを低減するために、当該長尺物の把持位置よりも前記一方端側の位置に巻き付けて環状に装着されるバランスウェイトベルトであって、柔軟性を有する帯状のウェイト材と、前記ウェイト材を封入した帯状の本体と、前記長尺物に巻き付けられる際、前記本体の当該長尺物に接触する面に設けられ、当該長尺物との間の摩擦力によって前記本体の前記長尺物に対する滑りを防止する滑り止め部材と、前記本体が前記長尺物に巻き付けられたとき、その巻き付け状態を保持することができ、かつ、その巻き付け状態の保持を解除することができる固定部材とを備えたことを特徴とする（請求項１）。
【０００９】
本願考案に係るバランスウェイトベルトによれば、長尺物に装着して重心位置を調節することで持ち重りが軽減し、また、固定部材により着脱可能になっているので汎用性が高く、装着する位置や個数により重心の微調節が可能となる。
【００１０】
好ましい実施形態によれば、本体は、全体的若しくは部分的に長手方向に伸縮性を有し、前記ウェイト材は、鉛からなる薄板を１枚または複数枚積層して構成され、前記固定部材は、前記本体の前記長尺物に巻き付けられる第１の面の一方に設けられたフック部と、前記本体の前記第１の面と反対側の面に設けられ、前記フック部が係合されるループ部とからなる面ファスナーであり、前記滑り止め部材は、クロロプレーンゴムで構成されているとよい（請求項２〜５）。
【００１１】
他の好ましい実施形態によれば、前記本体は、クロロプレーンゴムで構成され、前記滑り止め部材は、前記本体に一体的に形成されているとよい（請求項６）。
【００１２】
本願考案のその他の特徴および利点は、添付図面を参照して以下に行う詳細な説明によって、より明らかとなろう。
【考案を実施するための最良の形態】
【００１３】
以下、本願考案の好ましい実施の形態を、図面を参照して具体的に説明する。
【００１４】
図１は、本願考案に係るバランスウェイトベルトの実施例を示すもので、一部を破断した斜視図である。
【００１５】
同図に示すバランスウェイトベルト１は、釣り竿の竿尻に装着して、持ち重りによる手首や腕の負担を軽減するためのものである。バランスウェイトベルト１は、図２に示すように、直径約４０ｍｍの竿尻径を有する釣り竿７に巻き付けるようにして装着されるもので、幅Ｗ：約３０ｍｍ、長さＬ１：約１８０ｍｍ、最大厚さＨ：約７．７ｍｍの帯状をなしている。
【００１６】
バランスウェイトベルト１の長さＬ１を約１８０ｍｍとしているのは、釣り竿７の直径約４０ｍｍの竿尻にバランスウェイトベルト１を１回巻き付けると、バランスウェイトベルト１の先端部１aがバランスウェイトベルト１の基端部１ｂに重複し、その重複部を面ファスナーによって固定させるためである。また、バランスウェイトベルト１の幅Ｗを約３０ｍｍとしているのは、バランスウェイトベルト１を釣り竿７の竿尻に巻き付ける際の取り扱い易さやバランスウェイトベルト１を装着した後の釣り竿７の使用に邪魔にならないことなどを考慮したものである。
【００１７】
従って、バランスウェイトベルト１の長さＬ１と幅Ｗは、上記の目的に沿うものであれば、上記サイズに限定されるものではなく、適宜のサイズを採用することができる。
【００１８】
バランスウェイトベルト１は、本体２、ウェイト材３、滑り止め部材４、固定部材フック部５及び固定部材ループ部６からなる面ファスナー（固定部材）により構成されている。
【００１９】
本体２の内部にウェイト材３が封入されている。本体２の一方の面（図１では、上面）に滑り止め部材４と固定部材フック部５が設けられ、本体２の他方の面（図１では、下面）に固定部材ループ部６が設けられている。なお、本体２の滑り止め部材４が設けられる面は、バランスウェイトベルト１を釣り竿７の竿尻に巻き付ける際、当該竿尻に接触する面（以下、「接触面」という。）となり、本体２の固定部材ループ部６が設けられる面は、バランスウェイトベルト１を釣り竿７の竿尻に巻き付けた際、本体２の固定部材フック部５が固定される面（以下、「固定面」という。）となる面である。
【００２０】
固定部材フック部５は、本体２の接触面の先端部１ａに設けられ、滑り止め部材４は、本体２の接触面の基端部１ｂから先端部１ａ側に延びるように設けられている。一方、固定部材ループ部６は、本体２と略同一の形状を有し、当該本体２の固定面全面に設けられている。
【００２１】
本体２は、例えば、クロロプレーンゴムやシリコンゴムなどの合成樹脂で作成されている。具体的には、本体２は、幅約３０ｍｍ、長さ約１８０ｍｍ、厚み約１．８ｍｍの帯状をなし、その先端部１ａに半円弧の縁取りがなされた２枚の素材の周縁を逢着、溶着または接着により固着して袋体にしたものである。本体２を袋体とする際に、滑り止め部材４が設けられる部分に対応する中空部分にウェイト材３を入れることにより、当該ウェイト材３が封入された本体２が作製される。本体２には、バランスウェイトベルト１が釣り竿７の竿尻に巻付装着されたときにその装着力が増加するように全体的に若しくは部分的に伸縮性を持たせるとよい。なお、本体２の素材としては、合成樹脂に限られず、皮革、合成皮革、織物などの素材を用いることができる。
【００２２】
なお、本体２の接触面側の素材と固定面側の素材とで違う素材を用いても構わない。例えば、接触面側の素材として後述する滑り止め部材４の素材を用いて、固定面側の素材として後述する固定部材ループ部６の素材を用いることで、使用部材を減らして製造コストを削減することができる。
【００２３】
ウェイト材３は、釣り竿の竿尻に巻き付けて持ち重りによる手首や腕の負担を軽減するための錘として機能するものである。従って、ウェイト材３は、柔軟性を有し錘として作用する材質で作製されている。具体的には、ウェイト材３は、約１０ｇの薄い帯状の板鉛を目的とする重さに応じて所要数積層して作製されている。鉛の比重は１１．３であるから、約１０ｇの板鉛のサイズは、本体２に設けられる中空部分のサイズを考慮すると、例えば、幅約１６ｍｍ、長さ約１２５ｍｍ、厚さ約０．５ｍｍとなる。
【００２４】
従って、上記サイズの板鉛を２枚、本体２に封入すると、約２０ｇのバランスウェイトベルト１が作製され、上記サイズの板鉛を３枚、本体２に封入すると、約３０ｇのバランスウェイトベルト１が作製される。なお、上記サイズの板鉛を用いた場合は、約１０ｇ単位で重さの異なるバランスウェイトベルト１を作成することができるが、重さが１０ｇ増加する毎に、本体２の厚みが０．５ｍｍずつ増加し、あまり重くすると、バランスウェイトベルト１の柔軟性が低下し、釣り竿７の竿尻に巻き付けられなくなるので、バランスウェイトベルト１の重さには一定の限界がある。
【００２５】
上記の例では、滑り止め部材４及び固定部材ループ部６の厚みを約１．８ｍｍとすると、約１０ｇのバランスウェイトベルト１の厚みは、本体２の厚み約３．６ｍｍ＋ウェイト材２の厚み約０．５ｍｍ＋滑り止め部材４の厚み約１．８ｍｍ＋固定部材ループ部６の厚み約１．８ｍｍ＝７．７ｍｍとなり、バランスウェイトベルト１の重さが１０ｇ増加する毎に、その厚みは０．５ｍｍずつ増加することになる。バランスウェイトベルト１の巻付性から厚みの上限を、例えば１０ｍｍとすると、バランスウェイトベルト１の重さの上限は、約５０ｇとなる。
【００２６】
なお、板鉛の厚みを０．２５ｍｍとすれば、バランスウェイトベルト１の重さのピッチを約５ｇ単位とすることができる。また、バランスウェイトベルト１の幅寸法を大きくし、板鉛の重さを大きくすれば、バランスウェイトベルト１の重さの上限を５０ｇ以上にすることができる。例えば、板鉛の幅を２４ｍｍ（上記の例の１．５倍）にすると、板鉛の重さは１５ｇとなるから、厚み１０ｍｍのバランスウェイトベルト１を約７５ｇにすることができる。
【００２７】
ウェイト材３は、その目的に適した錘として作用する程度の比重があり、釣り竿７の竿尻に巻き付けられる程度の柔軟性があればいいので、板鉛に代えて、鉄板などの他の金属や合金製の板、鉛粉末を混入した合成樹脂等の板を使用するようにしてもよく、使用状況と耐性や経済性、環境性などを考慮して材質を選択するとよい。鉛よりも比重の大きい材質を用いれば、ウェイト材３の小型化、薄型化が可能になるので、バランスウェイトベルト１の本体２の大きさをより小さくすることができる。
【００２８】
滑り止め部材４は、バランスウェイトベルト１を釣り竿７の竿尻に巻き付けた状態で釣り竿７がキャスティングされたときに、バランスウェイトベルト１に働く遠心力などの力によって当該バランスウェイトベルト１が釣り竿７の竿尻から抜け落ちないように、バランスウェイトベルト１と釣り竿７の竿尻との間で高い摩擦力を生じさせる機能を果たすものであり、例えば、クロロプレーンゴムやシリコンゴムなどの合成樹脂で作成されている。
【００２９】
ここで、図３を用いて、滑り止め部材４に要求される静止摩擦係数μについて説明する。
【００３０】
図３に示すように、釣り竿７の握り位置Ａから竿尻側に距離ｒだけ離れた位置Ｂにバランスウェイトベルト１が装着されているとする。バランスウェイトベルト１の質量をｍ、バランスウェイトベルト１が釣り竿７を締め付ける力をＮ、バランスウェイトベルト１と釣り竿７との間の静止摩擦係数をμ、釣り竿７がキャスティングされたときの当該釣り竿７の最高回転速度をω、重力加速度をｇ、釣り竿７が鉛直方向となす角度をθとすると、バランスウェイトベルト１にかかる重力の釣り竿７の竿尻に向かう方向の成分はｍｇ・cosθ、遠心力の最大値はｍｒω2となり、これらの力がバランスウェイトベルト１に対して竿尻方向に作用する。
【００３１】
また、重力の釣り竿７に垂直な方向に働く成分はｍｇ・sinθであるので、バランスウェイトベルト１にかかる釣り竿７からの垂直抗力はｍｇ・sinθ＋Ｎとなる。よって、釣り竿７の穂先方向に働く摩擦力はμ・（ｍｇ・sinθ＋Ｎ）となり、これが竿尻方向に働く力（ｍｇ・cosθ＋ｍｒω2）より大きければ、バランスウェイトベルト１は装着した位置Ｂから動くことはない。
【００３２】
すなわち、バランスウェイトベルト１を装着位置Ｂに保持する条件は、
μ・（ｍｇ・sinθ＋Ｎ）＞ｍｇ・cosθ＋ｍｒω2  …（１）
である。
【００３３】
そして、竿尻方向に働く力が最大になるのは釣り竿７が鉛直方向に一致したとき、すなわちθ＝０のときであるから、この条件を上記（１）式に入れると、μＮ＞ｍｇ＋ｍｒω2となり、この式より、滑り止め部材４の素材は、釣り竿７の竿尻の素材に対してｍ・（ｇ＋ｒω2）/Ｎより大きい静止摩擦係数μを有する素材であることが必要となる。
【００３４】
滑り止め部材４は、ｍ・（ｇ＋ｒω2）/Ｎより大きい静止摩擦係数μを有する素材であれば、任意の素材を用いることができ、本体２の接触面の所定の位置に逢着、溶着または接着により取り付けられる。
【００３５】
なお、滑り止め部材４の素材として本体２と同じ素材を用いた場合は、本体２に滑り止め部材４を兼用させることができる。
【００３６】
固定部材フック部５は、バランスウェイトベルト１を釣り竿７の竿尻に巻き付けた状態で固定するための固定部材である面ファスナーのフック部を構成し、固定部材ループ部６は、同面ファスナーのループ部を構成するものである。固定部材フック部５は、半円形状をなし、本体２の接触面の先端部１ａに、逢着、溶着または接着により設けられている。一方、固定部材ループ部６は、本体２と略同一の形状を有し、本体２の固定面全面に逢着、溶着または接着により設けられている。なお、固定部材ループ部６は、バランスウェイトベルト１を釣り竿７の竿尻に巻き付けた際、固定部材フック部５に対向する部分にあればよいので、本体２の固定面の基端部１ｂのみに逢着、溶着または接着により設けていてもよい。
【００３７】
本実施形態では、バランスウェイトベルト１を釣り竿７の竿尻に巻き付けた状態で固定する際の操作性を考慮して面ファスナーにより固定するようにしているが、バランスウェイトベルト１を釣り竿７の竿尻に巻き付けた状態で固定できるものであれば、固定部材は面ファスナーに限定されるものではない。例えば、本体２の一方の端部に設けた伸縮性のある部材に着けたボタンやホックを反対側の端部に設けた穴に掛けるようにしてもいいし、本体２の一方の端部に環を設け、反対側の端部に設けた一部がフック材、一部がループ材になっている面ファスナーをこの環に通して折り返し、フック材とループ材を係合することで固定するようにしてもよい。
【００３８】
上記のように構成されたバランスウェイトベルト１は、以下のようにして釣り竿７の竿尻部分の適所に取り付けられる。すなわち、まず、本体２の接触面の基端部１ｂを釣り竿７の周面に押し付けて固定させる。つぎに、当該本体２を釣り竿７の周面に巻着付けると、本体２の接触面の先端部１ａ（固定部材フック部５の部分）が本体２の固定面の基端部１ｂに重複するので、その状態で本体２の先端部１ａを釣り竿７側に押し付ける。これにより、固定部材フック部５の多数のフックが固定部材ループ部６の多数のループに係合して本体２は釣り竿７に巻き付けられた状態で保持される。
【００３９】
バランスウェイトベルト１を釣り竿７から取り外すときは、本体２の先端部１ａをつまみ、釣り竿７から引き離すように操作する。この操作により、固定部材ループ部６の多数のループに係合していた固定部材フック部５の多数のフックはその係合が外れ、本体２は容易に釣り竿７から離脱する。
【００４０】
次に、バランスウェイトベルト１を釣り竿７の竿尻付近に装着した場合の作用を、図４を参照して説明する。
【００４１】
図４は、重量が２００ｇ、長さが２００ｃｍ、穂先Ｄから１３０ｃｍの位置に重心位置Ｃがあり、この重心位置Ｃから竿尻側に２０ｃｍ離れた位置に握り位置Ａがある釣り竿７の竿尻付近Ｂ（握り位置Ａから竿尻側に４０ｃｍ離れた位置）にバランスウェイトベルト１を装着した場合の図である。
【００４２】
図４に示す条件において、握り位置Ａにおける釣り竿７の自重による回転モーメントは０．２ｋｇ・２０ｃｍ＝４ｋｇ・ｃｍである。この釣り竿７の穂先Ｄに重量４０ｇのおもりを釣り糸で取り付けた場合、握り位置Ａにおけるおもりの重量による回転モーメントは０．０４ｋｇ・１５０ｃｍ＝６ｋｇ・ｃｍとなる。
【００４３】
よって、静止状態でも握り位置Ａには常に合計１０ｋｇ・ｃｍの回転モーメントがかかることになる。キャスティング時やリトリーブ、ロッドアクション、フッキング、魚を釣り上げるときには、更に握り位置Ａに回転モーメントが加わるので、長時間行うと、この加重される回転モーメントによる持ち重りのために釣り竿７を保持している手首や腕に負担がかかることになる。
【００４４】
図４に示すように、握り位置Ａから竿尻方向に４０ｃｍ離れた場所Ｂに重量２５０ｇのバランスウェイトベルト１が装着されていると、握り位置Ａにおけるバランスウェイトベルト１による回転モーメントは０．２５ｋｇ・４０ｃｍ＝１０ｋｇ・ｃｍとなり、バランスウェイトベルト１は、釣り竿７の自重とおもりによる回転モーメント（静止状態で常時握り位置Ａにかかっている回転モーメント）を打ち消す作用をする。
【００４５】
すなわち、このときには、釣り竿７、おもり、バランスウェイトベルト１を合わせた重心の位置Ｃ’は握り位置Ａと一致しており、バランスウェイトベルト１は、釣り竿７に装着されることによって、釣り竿７の重心位置Ｃを握り位置Ａにずらして持ち重りによる手首や腕の負担を軽減する作用をする。
【００４６】
なお、図４の例では、釣り竿７の自重とおもりによる回転モーメントを完全に打ち消すようにバランスウェイトベルト１の装着位置と重量を設定して説明したが、使用者の持ち重り感が軽減すればいいのであって完全に打ち消す必用はなく、使用者が釣り竿の使用状態により装着位置と重量を設定すればよい。すなわち、使用者が釣り竿の操作方法や持ち重り感により、その都度バランスウェイトベルト１の装着位置と重量を簡単に変更することができ、微調節もできる。
【００４７】
バランスウェイトベルト１は、ウェイト材３の比重や厚みを変えることで、同じ大きさでも重量を変えることができる。例えば、１０ｇ、３０ｇ、５０ｇ、１００ｇのものがそれぞれいくつかずつあれば、希望の重量を組み合わせることができる。また、装着位置を自由に変えることもできるので、重心位置Ｃ’の微調整も可能である。図４の例では、１００ｇのものを２個、５０ｇのものを１個使用すれば、２５０ｇとなる。
【００４８】
以上説明したように、本願考案に係るバランスウェイトベルト１によれば、釣り竿７に装着して重心位置Ｃ’を調節することで持ち重りを減少することができ、手首や腕の負担が軽減する。更に、固定部材フック部５及び固定部材ループ部６からなる面ファスナーによって装着するようになっているので、釣り竿７への着脱が極めて容易であり、他の釣り竿への装着も可能なので汎用性が高い。また、本願考案に係るバランスウェイトベルト１は、数種類の重量のものを組み合わせて希望の重量にすることができ、装着する位置により重心の微調節も可能である。
【００４９】
なお、本実施形態では、ウェイト材に板状のウェイトを使用した構成を説明したが、錘として作用する程度の比重がある粉状または粒状の物質、例えば砂鉄を使用してもよい。
【００５０】
また、本実施形態では、バランスウェイトベルト１は釣り竿７の竿尻に１回だけ巻き付けられて、先端部１aと基端部１ｂとの重複部を面ファスナーによって固定される構成を説明したが、バランスウェイトベルト１の長さＬ１を長くして２回以上巻きつけられて、先端部１aに設けられた固定部材フック部５を本体２の固定面に設けられた固定部材ループ部６に係合して固定される構成にしてもよい。バランスウェイトベルト１の長さ、すなわち本体２の長さを長くすれば、ウェイト材３の長さも長くすることができ、同じ重さにするために必要な厚みを薄くすることができる。例えば、竿尻に２回巻き付けて固定される構成にすれば、本体２の長さＬ１は竿尻の円周分約１２５ｍｍ長くすることができ、ウェイト材３の長さも約１２５ｍｍ長くすることができるので、約１０ｇの板鉛の厚さは０．２５ｍｍにできる。
【００５１】
また、本実施形態では、釣り竿の持ち重りを低減するためのバランスウェイトベルトを説明したが、図１に示したバランスウェイトベルトの形状及び構造から明らかなように、長尺物の端部付近を持って長時間操作を行った際の持ち重りを低減する用途であれば、釣り竿に限定されるものではない。例えば、はたきやほうき等に装着して使用することにより持ち重りを減少し、手首や腕の負担を軽減するようにしてもよい。
【図面の簡単な説明】
【００５２】
【図１】本願考案に係るバランスウェイトベルトの実施例を示すもので、一部を破断した斜視図である。
【図２】本願考案に係るバランスウェイトベルトを釣り竿の竿尻に装着した状態を示す斜視図である。
【図３】本願考案に係るバランスウェイトベルトの使用時にかかる遠心力と摩擦力を説明するための図である。
【図４】本願考案に係るバランスウェイトベルトを釣り竿に装着したときの作用を説明するための図である。
【符号の説明】
【００５３】
１  バランスウェイトベルト
２  本体
３  ウェイト材
４  滑り止め部材
５  固定部材フック部
６  固定部材ループ部
７  釣り竿
【図１】
0003124789.tif 000003
【図２】
0003124789.tif 000004
【図３】
0003124789.tif 000005
【図４】
0003124789.tif 000006